(57)【要約】【課題】ステージの下側の磁石とステージの上に載置された玩具の磁石とが吸引し、ステージの下を移動する磁石の動きに合わせて単にステージの上を移動する状態から、玩具体の動きや玩具体のおかれた環境に変化を与えることができる画期的な動作玩具を提案すること。【解決手段】内部が透視可能なケース１の内部には垂直に回動軸８を配置し、該回動軸８を外部から回動操作できるように回動軸８の上端を上記ケース１の上方に突出させて摘み４を設け、ケース１の内部には水平方向に回動可能なステージ３を配置し、該ステージ３を上記回動軸８に回動可能に軸支させるとともに、上記ステージ３の上面には底面に磁石２５を設けた玩具体２を載置し、ステージ３の裏側には上記回動軸８の回動に連動して上記ステージ３の裏側面に沿って移動する磁石２５を配置した。【選択図】図１
2006102282.tif 000002
【特許請求の範囲】
【請求項１】
以下の要件を備えることを特徴とする動作玩具。
（イ）少なくとも前面から内部が透視可能なケースの内部には垂直に回動軸が配置され、該回動軸の上端は上記ケースの上方に突出するとともに、外部から回動操作可能に構成されていること
（ロ）上記ケースの内部には水平方向に回動可能なステージが配置され、該ステージは上記回動軸に回動可能に軸支されていること
（ハ）上記ステージの上面には底面に磁石を設けた玩具体が載置されていること
（ニ）上記ステージの裏側には、上記回動軸の回動に連動して上記ステージの裏側を移動する磁石が配置されていること
【請求項２】
以下の要件を備えることを特徴とする、請求項１記載の動作玩具。
（イ）前記ケースの内周面には前記ステージの回動が周回しないように規制する第１の規制部を設け、前記ステージの周面には上記第１の規制部に係合する２つの係合部を等間隔に設けたこと
（ロ）前記ステージには前記回動軸の回動が周回しないように規制する第２の規制部を上記係合部の中間に設けたこと
（ハ）前記ステージの上面には前記玩具体に関連した２つの環境が形成され、それぞれの環境は上記係合部が第１の規制部に係合したときケースの前面に位置するように形成されていること
【発明の詳細な説明】
【技術分野】
【０００１】
本発明は、動作玩具、詳しくはステージ上に載置した玩具体がステージの裏側を移動する磁石に引かれてステージ上を移動する動作玩具に関するものである。
【背景技術】
【０００２】
従来、ステージ上に載置した玩具体がステージの下を移動する磁石に引かれてステージ上を移動する動作玩具として様々な玩具が提案されているが、磁石の移動軌跡と玩具体の移動軌跡が常に一致し、玩具体の動きに変化がないため、本出願人により玩具体の動きに変化が生じる「磁気利用玩具」が出願されている（例えば、特許文献１）。
【０００３】
この、磁気利用玩具は、ステージの下に配置された磁石と玩具体に設けた磁石とが互いに反発する関係に設定されているため、磁石の動きに追随して玩具体が移動するのではなく、磁石体の接近により磁石の反発力で予測できない動きをさせるようにしたものである。
【特許文献１】実開平５−７６５００号公報
【発明の開示】
【発明が解決しようとする課題】
【０００４】
本発明が解決しようとする問題点は、玩具体の動きに変化を生み出すことはできるが、その玩具のおかれた環境は常に同一であり、やがては飽きてしまう恐れがある点であった。
【０００５】
本発明は、上記問題点を解決し、ステージの下側の磁石とステージの上に載置された玩具の磁石とが吸引し、ステージの下を移動する磁石の動きに合わせて単にステージの上を移動する状態から、玩具体の動きや玩具体のおかれた環境に変化を与えることができる画期的な動作玩具を提案することを課題とする。
【課題を解決するための手段】
【０００６】
前記課題を解決するために本発明に係る動作玩具は、以下の要件を備えることを特徴とする。
（イ）少なくとも前面から内部が透視可能なケースの内部には垂直に回動軸が配置され、該回動軸の上端は上記ケースの上方に突出するとともに、外部から回動操作可能に構成されていること
（ロ）上記ケースの内部には水平方向に回動可能なステージが配置され、該ステージは上記回動軸に回動可能に軸支されていること
（ハ）上記ステージの上面には底面に磁石を設けた玩具体が載置されていること
（ニ）上記ステージの裏側には磁石が配置され、該磁石は上記回動軸の回動に連動して上記ステージの裏側を移動すること
【０００７】
なお、前記動作玩具は、以下の要件を備えることが好ましい。
（イ）前記ケースの内周面には前記ステージの回動が周回しないように規制する第１の規制部を設け、前記ステージの周面には上記第１の規制部に係合する２つの係合部を等間隔に設けたこと
（ロ）前記ステージには前記回動軸の回動が周回しないように規制する第２の規制部を上記係合部の中間に設けたこと
（ハ）前記ステージの上面には前記玩具体に関連した２つの環境が形成され、それぞれの環境は上記係合部が第１の規制部に係合したときケースの前面に位置するように形成されていること
【発明の効果】
【０００８】
請求項１の発明によれば、回動軸を回してステージの下側に配置された磁石を周方向に移動させることにより、磁石に吸引された玩具体が周方向に移動させることができるとともに、玩具体の磁石とステージの裏側の磁石とでステージを挟みつけるので、玩具体の移動とともにステージを回すことができ、単にステージ上をスライド移動する従来の動作玩具では得られない楽しさを得ることができる。
【０００９】
請求項２の発明によれば、ステージ上には玩具体に関連する２つの環境が設定され、その環境は係合部が第１の規制部に係合したとき、ケースの前面に現れるので、ユーザーは玩具体を移動させることにより、環境も変化させることができ、画期的な動作玩具を実現することができる。
【発明を実施するための最良の形態】
【００１０】
内部が透視可能なケースの内部には垂直に回動軸を配置し、該回動軸を外部から回動操作できるように回動軸の上端を上記ケースの上方に突出させて摘みを設け、ケースの内部には水平方向に回動可能なステージを配置し、該ステージを上記回動軸に回動可能に軸支させるとともに、上記ステージの上面には底面に磁石を設けた玩具体を載置し、ステージの裏側には上記回動軸の回動に連動して上記ステージの裏側面に沿って移動する磁石を配置した。
【実施例１】
【００１１】
図１は、本発明に係る動作玩具を示し、この動作玩具は少なくとも前面から内部が透視できる透明なケース１の内部に玩具体２と、この玩具体２を載置するステージ３とが配置され、ケース１の上部に配置された摘み４を回すと、玩具体２が周方向に移動するとともにステージ３が玩具体２と一体になって回動するようになっているものである。
【００１２】
図２に示すように、ケース１は前ケース１ａと後ケース１ｂとから構成され、ヒンジ部５で前ケース１ａが開閉できるように連結され、全体としてリンゴを模して形成されている。なお、本実施例では前ケース１ａと後ケース１ｂとは何れも透明な樹脂で形成したが、後ケース１ｂは不透明であっても構わない。
【００１３】
そして、後ケース１ｂの内側上下面には後述する回動軸８を軸支する軸受け６ａ、６ｂが固定されるとともに、後部内周面の一部には、上記ステージ３の回動量を１８０度に規制する第１の規制部７である、係合凸部が内方に突出形成されている。
【００１４】
上記摘み４はリンゴの葉を模して形成され、ケース１内に垂直に配置された回動軸８の上端に固定され、ケース１の外側から回動軸８を回動操作できるようになっている。上記回動軸８はケース１内に固定された軸受け６ａ、６ｂに回動可能に軸支され、この回動軸８の下部にはレバー９の後端が固定され、このレバー９の先端部には磁極が上下面に現れるように磁石１０が取り付けられている。
【００１５】
上記レバー９は上記回動軸８を回動させることにより、ステージ３の裏側面に沿って回動するようになっているが、このレバー９は後述する第２の規制部２２によって回動が３６０度で規制され、摘み４を回動操作しても３６０度以上は回すことができないようになっている。
【００１６】
ステージ３は上部材３ａと下部材３ｂとで中空の円盤状に形成され、上部材３ａの上面には仕切り壁１５と、この仕切り壁１５を挟んで２つの部屋が形成されている。この部屋は、寝室と浴室とで構成され、寝室にはベッド１６が、浴室には浴槽１７がそれぞれ形成されている。
【００１７】
このベッド１６と浴槽１７とには玩具体２が出入りできるように一部が切り欠かれて出入り部１６ａ、１７ａが形成され、この出入り部１６ａ、１７ａから内部は上方に傾斜面が形成され、ベッド１６と浴槽１７の内部は上部材３ａの上面よりやや高くなっている。
【００１８】
下部材３ｂは、円板の周縁が上方に膨出して壁部が形成された盆状で、周壁にはケース１の内壁面に形成された第１の規制部７に係合する２つの係合部（第１の係合部２０、第２の係合部２１）が直径方向に対称に配置され、ステージ３の回動が半周（約１８０度）で制限されるようになっている。
【００１９】
つまり、第１の係合部２０が第１の規制部７に係合したときには、浴室が正面に位置し、第２の係合部２１が第１の規制部７に係合したときには、寝室が正面に位置するようになっている。
【００２０】
そして、上記第１の係合部２０、第２の係合部２１はスタビライザで構成され、第１の規制部７に係合した時には、ステージ３の回動を停めるだけではなく、ステージ３の停止状態を維持できるようになっている。
【００２１】
なお、図１は、第２の係合部２１が第１の規制部７に係合し、寝室が正面に位置してベッド１６が見える状態を示している。
【００２２】
そして、下部材３ｂには、上記２つの係合部２０、２１に加え、第２の規制部２２が配置されている。この第２の規制部２２は、上記回動軸８に軸支されたレバー９の先端に係合し、レバー９が周回しないように回動量を約３６０度で制限するものである。
【００２３】
上記レバー９は、後端が上記回動軸８に固定され、先端には磁石１０が埋め込まれているもので、この磁石１０は玩具体２に設けた磁石２５と吸引しあうように磁極が設定されているものである。
【００２４】
玩具体２は、人形を模して形成され、重心が高い位置になるように胴体部に比して頭部が大きく形成されている。この玩具体２の底部には、磁極が上下面に現れるように磁石２５が嵌め込まれている。この磁石２５の磁極は上記レバー９に取り付けた磁石１０とステージ３の上部材３ａを挟んで吸引しあうように磁極が設定（例えば、磁石１０の上面がＮ極、磁石２５の下面がＳ極）されている。
【００２５】
次に、上記構成の動作玩具の使用態様をステージ上の設定が寝室から浴室に変わる場合について説明する。
【００２６】
先ず、前ケース１ａを開いて、ステージ３の上に玩具体２を載置する。この時、玩具体２の磁石２５がステージ３の上面に接するように立設した状態で載置する。次に、前ケース１ａを閉じて摘み４を回し、レバー９の先端に設けた磁石１０が玩具体２の磁石２５と吸引しあう位置まで回動する。
【００２７】
摘み４を回してレバー９の磁石１０と玩具体２の磁石２５とが吸引し合う状態になると、ステージ３の上部材３ａが玩具体２の磁石２５とレバー９の磁石１０とで挟持された状態になり（図３（ａ）参照）、レバー９が回動して磁石１０が周方向に移動すると、玩具体２の周方向の移動とともにステージ３が回動を始める。
【００２８】
ステージ３が回動を始めると、ケース１の前面からは部屋の様子が寝室（ベッド１６）から浴室（浴槽１７）へと変化していく（図４（ａ）参照）。図３（ｂ）に示すように、下部材３ｂの第１の係合部２０が第一の規制部７に係合すると、ステージ３の回動は停止させられ、玩具体２のみがレバー９の回動に連係してステージ３の上面を寝室から浴室へとスライド移動して行く（図４（ｂ）参照）。
【００２９】
浴室に移動して行った玩具体２は、やがて浴槽１７の出入り部１７ａから浴槽１７内に進入し、スロープを上昇して浴槽１７の上面に移動する（図３（ｃ）参照）。
【００３０】
玩具体２は浴槽１７の側壁に当接し、進行を妨げられるが、摘み４を回し続けるとレバー９はさらに回動を続け、レバー９の先端が第２の規制部２２に当接するまで回動する（図４（ｃ）参照）。
【００３１】
玩具体２は浴槽１７の側壁に当接して移動は停止するが、玩具体２の磁石２５はレバー９の磁石１０に吸引され、さらに移動しようとするため、玩具体２はやや傾いた状態になる。レバー９がさらに回動し、レバー９の磁石１０と玩具体２の磁石２５との吸着状態が外れると、重心が高い位置にある玩具体２は浴槽１７内で横倒しになり、あたかも湯船に浸かっているような状態にすることができる（図３（ｄ）参照）。
【００３２】
レバー９は第２の規制部２２に当接して回動が阻止されているが、摘み４を逆方向に回動させると、図５（ａ）に示すように、レバー９は反対方向に回動を始め、レバー９の磁石１０に玩具体２の磁石２５が吸引されて玩具体２は再び起立し、玩具体２の磁石２５とレバー９の磁石１０とでステージ３が再び挟持される（図５（ｂ）参照）。
【００３３】
引き続き摘み４を回すと、図５（ｃ）に示すように、玩具体２の移動とともにステージ３が逆方向に回動し（図６（ａ）参照）、図５（ｄ）に示すように、ステージ３の第２の係合部２１が第１の規制部７に係合するまで回動する（図６（ｂ）参照）。ステージ３の第２の係合部２１が第１の規制部７に係合するとステージ３の回動が停止し、寝室（ベッド１６）が正面に位置するようになる。摘み４を引き続き回すと、レバー９の回動によって玩具体２がステージ３の上面をスライド移動し、浴室から寝室に移動する。
【００３４】
やがて、ベッド１６の出入り部１６ａからベッド１６内に進入し、スロープを上昇して玩具体２はベッド１６の枠に当接して進行を妨げられるが、摘み４を回し続けるとレバー９はさらに回動を続けレバー９の先端が第２の規制部２２に当接するまで回動する（図６（ｃ）参照）。
【００３５】
玩具体２はベッド１６の枠に当接して移動は停止するが、玩具体２の磁石２５はレバー９の磁石１０に吸引され、さらに移動しようとするため、玩具体２は浴槽の場合と同様にやや傾いた状態になる。レバー９がさらに回動し、レバー９の磁石１０と玩具体２の磁石２５との吸引状態が外れると、重心が高い位置にある玩具体２はベッド１６内で横倒しとなり、図７に示すように、あたかも玩具体２である人形がベッド１６に横になって就寝するような状態にすることができる。
【００３６】
上述したように、摘み４を回して玩具体２を周方向に移動させると、ステージ３も玩具体２とともに回り、異なった環境（部屋）を現すことができる。その環境が変わった状態が維持された状態で、玩具体２はさらに移動して起立状態から横倒し状態になり、ベッドで就寝した状態や、湯船に浸かった状態にすることができ、従来の動作玩具のようにステージ３は固定された状態で、玩具体２のみが移動する動作玩具では味わうことのできない、変化に富んだ動作玩具を実現することができる。
【図面の簡単な説明】
【００３７】
【図１】本発明に係る動作玩具の一例を説明する斜視図
【図２】上記動作玩具の構成を説明する分解斜視図
【図３】（ａ）〜（ｄ）はステージと玩具体の関係を説明する展開側面図
【図４】（ａ）〜（ｃ）はステージとレバーの回動状態を説明する底面図
【図５】（ａ）〜（ｄ）はステージと玩具体の関係を説明する展開側面図
【図６】（ａ）〜（ｃ）はステージとレバーの回動状態を説明する底面図
【図７】上記動作玩具の玩具体の動作を説明する斜視図
【符号の説明】
【００３８】
１    ケース
２    玩具体
３    ステージ
４    摘み
７    第1の規制部
８    回動軸
９    レバー
１０    磁石
２０    係合部
２１    係合部
２２    第２の規制部
２５    磁石
【図１】
2006102282.tif 000003
【図２】
2006102282.tif 000004
【図３】
2006102282.tif 000005
【図４】
2006102282.tif 000006
【図５】
2006102282.tif 000007
【図６】
2006102282.tif 000008
【図７】
2006102282.tif 000009